(57)【要約】【課題】明瞭なファインダ像が得られるファインダハウジングを提供する。【解決手段】凹レンズである対物レンズ５２と凸レンズである接眼レンズ５４とがファインダハウジング５６内に所定の間隔をもって配置される。ファインダハウジング５６は黒色のプラスチック材で成形されており、その内周部には対物レンズ５２と接眼レンズ５４との間に絞り部６６が一体的に形成されている。絞り部６６は、接眼レンズ５４のレンズ部５４Ａと同じ大きさに形成され、この絞り部６６によって不要な反射光がカットされる。【選択図】          図６
2004325624.tif 000002
【特許請求の範囲】
【請求項１】
内部に凹レンズである対物レンズと凸レンズである接眼レンズとが所定の間隔をもって配置され、カメラ本体の所定の位置に配置されるファインダハウジングにおいて、
所定の間隔をもって配置された前記対物レンズと前記接眼レンズの外周を囲う枠状に形成され、内周部に前記対物レンズと前記接眼レンズのレンズ部の外周に形成された位置決め用凸部が嵌合される位置決め用凹部が形成されるとともに、前記対物レンズと前記接眼レンズとの間に前記対物レンズの外周面からの反射光を遮光する絞り部が一体的に形成され、上下又は左右に分割可能に形成されたことを特徴とするファインダハウジング。
【請求項２】
前記対物レンズは、前記レンズ部の基端部外周にフランジ部が形成されるとともに、該フランジ部の外周に前記位置決め用凸部が形成され、
前記接眼レンズは、前記レンズ部の先端部外周にフランジ部が形成されるとともに、該フランジ部の外周に前記位置決め用凸部が形成され、
前記カメラ本体は、フロントフレームとリアフレームとで構成され、
前記ファインダハウジングは、所定の間隔をもって配置された前記対物レンズと前記接眼レンズのフランジ部の外周を囲う枠状に形成され、前記フロントフレームに形成された開口部に前記対物レンズのレンズ部を嵌合するとともに、前記リアフレームに形成された開口部に前記対物レンズのレンズ部を嵌合して前記カメラ本体の所定位置に配置されることを特徴とする請求項１に記載のファインダハウジング。
【請求項３】
前記カメラ本体が明色系のプラスチック材によって形成されるとともに、前記ファインダハウジングが暗色系のプラスチック材で形成されたことを特徴とする請求項１又は２に記載のファインダハウジング。
【請求項４】
前記絞り部の開口部が、前記接眼レンズのレンズ部と同じ大きさに形成されたことを特徴とする請求項１、２又は３に記載のファインダハウジング。
【発明の詳細な説明】
【０００１】
【発明の属する技術分野】
本発明はファインダハウジングに係り、特にカード型のデジタルカメラに組み込まれるファインダハウジングに関する。
【０００２】
【従来の技術】
トイカメラと呼ばれるカテゴリーのデジタルカメラは、可能な限り製造コストを抑えるために、一般にカメラボディはプラスチックで成型され、ファインダは素通しのものが用いられている（たとえば、特許文献１）。
【０００３】
しかし、素通しのファインダでは、明瞭なファインダ像が得られないことから、凹レンズである対物レンズと凸レンズである接眼レンズとからなる逆ガリレオタイプの光学ファインダを用いているカメラもある。
【０００４】
【特許文献１】
特開平１０−２４８０２９号公報
【０００５】
【発明が解決しようとする課題】
しかしながら、逆ガリレオタイプの光学ファインダの場合、太陽光のように明るい光がファインダ光路内に入射すると、その光がファインダの内壁面で乱反射し、ファインダ像が見にくくなるという問題があった。
【０００６】
本発明は、このような事情に鑑みてなされたもので、明瞭なファインダ像が得られるファインダハウジングを提供することを目的とする。
【０００７】
【課題を解決するための手段】
請求項１に係る発明は、前記目的を達成するために、内部に凹レンズである対物レンズと凸レンズである接眼レンズとが所定の間隔をもって配置され、カメラ本体の所定の位置に配置されるファインダハウジングにおいて、所定の間隔をもって配置された前記対物レンズと前記接眼レンズの外周を囲う枠状に形成され、内周部に前記対物レンズと前記接眼レンズのレンズ部の外周に形成された位置決め用凸部が嵌合される位置決め用凹部が形成されるとともに、前記対物レンズと前記接眼レンズとの間に前記対物レンズの外周面からの反射光を遮光する絞り部が一体的に形成され、上下又は左右に分割可能に形成されたことを特徴とするファインダハウジングを提供する。
【０００８】
本発明によれば、ファインダハウジング内に絞り部が一体的に形成されているため、対物レンズから入射した光が、対物レンズの外周面で乱反射した場合であっても、その乱反射した不要な光を絞り部でカットでき、明瞭なファインダ像を得ることができる。
【０００９】
また、請求項２に係る発明は、前記目的を達成するために、前記対物レンズは、前記レンズ部の基端部外周にフランジ部が形成されるとともに、該フランジ部の外周に前記位置決め用凸部が形成され、前記接眼レンズは、前記レンズ部の先端部外周にフランジ部が形成されるとともに、該フランジ部の外周に前記位置決め用凸部が形成され、前記カメラ本体は、フロントフレームとリアフレームとで構成され、前記ファインダハウジングは、所定の間隔をもって配置された前記対物レンズと前記接眼レンズのフランジ部の外周を囲う枠状に形成され、前記フロントフレームに形成された開口部に前記対物レンズのレンズ部を嵌合するとともに、前記リアフレームに形成された開口部に前記対物レンズのレンズ部を嵌合して前記カメラ本体の所定位置に配置されることを特徴とする請求項１に記載のファインダハウジングを提供する。
【００１０】
本発明によれば、カメラ本体がフロントフレームとリアフレームとで構成され、フロントフレームに形成された開口部に対物レンズのレンズ部を嵌合するとともに、リアフレームに形成された開口部に対物レンズのレンズ部を嵌合することにより、ファインダハウジングを簡単にカメラ本体の所定位置に配置できる。
【００１１】
また、請求項３に係る発明は、前記目的を達成するために、前記カメラ本体が明色系のプラスチック材によって形成されるとともに、前記ファインダハウジングが暗色系のプラスチック材で形成されたことを特徴とする請求項１又は２に記載のファインダハウジングを提供する。
【００１２】
また、ファインダハウジングを黒等の暗色系のプラスチック材で形成することにより、周囲からファインダハウジング内に光が入射するのを防止することができる。また、これにより、カメラ本体を白等の明色系のプラスチックで形成することができる。
【００１３】
また、請求項４に係る発明は、前記目的を達成するために、前記絞り部の開口部が、前記接眼レンズのレンズ部と同じ大きさに形成されたことを特徴とする請求項１、２又は３に記載のファインダハウジングを提供する。
【００１４】
本発明によれば、絞り部の開口部を接眼レンズのレンズ部と同じ大きさに形成することにより、ファインダの視野を欠かせることなく、有効に有害光を除去することができる。
【００１５】
【発明の実施の形態】
以下、添付図面に従って本発明に係るファインダハウジングの好ましい実施の形態について詳説する。
【００１６】
図１、図２は、それぞれ本発明に係るファインダハウジングが組み込まれたデジタルカメラの正面斜視図と背面斜視図である。
【００１７】
同図に示すように、このデジタルカメラ１０は、撮影機能のみを備えたカード型のデジタルカメラであって、そのカメラ本体１２が厚さ８ｍｍ程度の名刺サイズに形成されている。
【００１８】
カメラ本体１２の正面には、図１に示すように、撮影レンズ１４とファインダ窓１６とが設けられている。
【００１９】
撮影レンズ１４は、沈胴式の単焦点レンズで構成されており、後述するモードダイヤル３０の回転操作に連動して、「撮影位置」及び「マクロ撮影位置」まで繰り出される。
【００２０】
カメラ本体１２の左側面には、図１に示すように、カードスロット１８とＵＳＢ端子２０とが設けられている。
【００２１】
カードスロット１８には、メモリカードが着脱自在に装着され、このカードスロット１８に装着されたメモリカードに撮影した画像が記録される。なお、このデジタルカメラ１０は、内蔵メモリも有しており、メモリカードが装着されていない場合は、この内蔵メモリに画像が記録される。
【００２２】
また、ＵＳＢ端子２０には、ＵＳＢケーブルが接続され、このＵＳＢケーブルを介してメモリカード又は内蔵メモリに記録された画像データをパソコン等に取り込むことができるようにされている。
【００２３】
カメラ本体１２の背面には、図２に示すように、ファインダ接眼部２２、液晶表示部２４、画質切り替え／画像消去ボタン２６及びビープ音ＯＮ／ＯＦＦボタン２８が設けられている。
【００２４】
液晶表示部２６は、モノクロの文字液晶で構成されており、撮影可能枚数や撮影画質、電池残量、ビープ音の有無等が表示される。画質切り替え／画像消去ボタン２６は、撮影画質（６４０×４８０  画素／３２０  ×２４０  画素）  の切り替え及び撮影画像の消去を指示するボタンとして機能し、ビープ音ＯＮ／ＯＦＦボタン２８は、ビープ音のＯＮ／ＯＦＦの切り替えを指示するボタンとして機能する。
【００２５】
カメラ本体１２の右側面には、図２に示すように、電源スイッチを兼ねたモードダイヤル３０とストラップ取付部３２とが設けられている。
【００２６】
モードダイヤル３０は、撮影レンズ１４の光軸を中心に回動自在に設けられており、「ＯＦＦ位置」−「ＯＮ位置」−「マクロ位置」の間を回動する。デジタルカメラ１０は、このモードダイヤル３０を「ＯＦＦ位置」に位置させることにより、電源がＯＦＦになる。そして、この「ＯＦＦ位置」から「ＯＮ位置」に回転させることにより、電源がＯＮになるとともに、撮影レンズ１４が「撮影位置」まで繰り出され、撮影が可能になる。また、このモードダイヤル３０を「ＯＮ位置」から「マクロ位置」に回転させることにより、撮影レンズ１４が「マクロ撮影位置」まで繰り出され、マクロ撮影が可能になる。
【００２７】
なお、このモードダイヤル３０の外周には、図３及び図４に示すように、３本のツメ３４Ａ、３４Ｂ、３４Ｃが所定の間隔をもって配設されており、このツメ３４Ａ、３４Ｂ、３４Ｃに手の指の爪を掛けて回転させるようになっている。
【００２８】
また、カメラ本体１２の右側面には、このモードダイヤル３０の外周に沿った円弧状のガイド部３６が形成されており、モードダイヤル３０を回転させる場合は、ツメ３４Ａ、３４Ｂ、３４Ｃに手の指の爪を掛け、このガイド部３６の円弧面を指でなぞるようにして回転させる。
【００２９】
また、このガイド部３６の円弧面上には、所定位置にストッパ３８が突出して形成されており、ツメ３４Ａ、３４Ｂに手の指の爪を掛けてモードダイヤル３０を回転させると、その手の指の爪が所定の位置で引っ掛かり、モードダイヤル３０の回転が止められるようにされている。
【００３０】
ここで、第１のツメ３４Ａに手の指の爪を掛けてモードダイヤル３０を図３のＡ方向に回転させると、所定位置で手の指の爪がストッパ３８に引っ掛かり、モードダイヤル３０の回転が停止する。このとき第１のツメ３４Ａがストッパ３８に重なり、モードダイヤル３０は「ＯＮ位置」に位置する。
【００３１】
そして、このモードダイヤル３０が「ＯＮ位置」に位置した状態から、第２のツメ３４Ｂに手の指の爪を掛けてモードダイヤル３０を図３のＡ方向に回転させると、所定位置で手の指の爪がストッパ３８に引っ掛かり、モードダイヤル３０の回転が停止する。このとき第２のツメ３４Ｂがストッパ３８に重なり、モードダイヤル３０は「マクロ位置」に位置する。
【００３２】
また、このモードダイヤル３０が「マクロ位置」に位置した状態から、第３のツメ３４Ｃに手の指の爪を掛けてモードダイヤル３０を図３のＢ方向に回転させると、モードダイヤル３０が「ＯＮ位置」に位置し、更に、第２のツメ３４Ｂに手の指の爪を掛けてモードダイヤル３０を図３のＢ方向に回転させると、モードダイヤル３０が「ＯＦＦ位置」に位置する。モードダイヤル３０が「ＯＦＦ位置」に位置すると、カメラの電源はＯＦＦになり、ガイド部３６には第１のツメ３４Ａのみが露出する。
【００３３】
このように、モードダイヤル３０は、その外周部に形成された３本のツメ３４Ａ、３４Ｂ、３４Ｃに手の指の爪を掛けて回転させることにより、「ＯＦＦ位置」−「ＯＮ位置」−「マクロ位置」の間を回転させることができる。
【００３４】
また、このモードダイヤル３０が「ＯＦＦ位置」に位置すると、モードダイヤル３０の裏面に記された「ＯＦＦ」のマークのアイコン４０Ａが、カメラ本体１２の裏面に形成された窓４２に位置する。撮影者は、この窓４２の表示を確認することにより、現在、カメラがＯＦＦ状態であることを確認できる。
【００３５】
同様にモードダイヤル３０が「ＯＮ位置」に位置すると、モードダイヤル３０の裏面に記された「ＯＮ」のマークのアイコン４０Ｂが、カメラ本体１２の裏面に形成された窓４２に位置し、モードダイヤル３０が「マクロ位置」に位置すると、モードダイヤル３０の裏面に記された「マクロ」のマーク（チューリップのマーク）のアイコン４０Ｃが、カメラ本体１２の裏面に形成された窓４２に位置する。撮影者は、この窓４２の表示を確認することにより、現在、カメラがＯＮ状態又はマクロ撮影状態であることを確認できる。
【００３６】
カメラ本体１２の上面には、図１及び図２に示すように、レリーズボタン４４が設けられており、このレリーズボタン４４を押すことにより、画像が内蔵メモリ又はメモリカードに記録される。
【００３７】
図５、図６、図７は、それぞれファインダの構成を示す斜視図、側面断面図、組立図である。
【００３８】
同図に示すように、ファインダは、凹レンズである対物レンズ５２と、凸レンズである接眼レンズ５４とからなる逆ガリレオ式ファインダで構成されている。このファインダは、対物レンズ５２と接眼レンズ５４とが、ファインダハウジング５６内に収容されてユニット化されている。すなわち、ファインダは、ファインダーユニット５０としてカメラ本体１２とは別体で構成されている。
【００３９】
対物レンズ５２は、矩形状に形成されており、矩形のレンズ部５２Ａと、そのレンズ部５２Ａの基端部外周に一体成形された矩形のフランジ部５２Ｂとで構成されている。
【００４０】
接眼レンズ５４は、同様に矩形状に形成されており、矩形のレンズ部５４Ａと、そのレンズ部５４Ａの先端部外周に一体成形された矩形のフランジ部５４Ｂとで構成されている。
【００４１】
対物レンズ５２のフランジ部５２Ｂと接眼レンズ５４のフランジ部５４Ｂは、同じサイズで形成されており、この対物レンズ５２と接眼レンズ５４のフランジ部５２Ｂ、５４Ｂの外周を囲うようにファインダハウジング５６が形成されている。すなわち、ファインダハウジング５６は、その内周部の形状が対物レンズ５２と接眼レンズ５４のフランジ部５２Ｂ、５４Ｂと同じ矩形状に形成されており、全体として矩形の枠状に形成されている。このファインダハウジング５６は、暗色系、たとえば黒色のプラスチック材で上下（左右でも可）に二分割可能に形成されている。
【００４２】
分割された上ハウジング５６Ａと下ハウジング５６Ｂの内周部両側面には、それぞれ位置決め用凹部５８Ａ、５８Ｂ、６０Ａ、６０Ｂが形成されている（下ハウジング５６Ｂに形成された位置決め用凹部６０Ｂについては不図示）。この位置決め用凹部５８Ａ、５８Ｂ、６０Ａ、６０Ｂには、対物レンズ５２と接眼レンズ５４のフランジ部５２Ｂ、５４Ｂの両側面に形成された位置決め用凸部５２Ｃ、５４Ｃが嵌入され、これにより、対物レンズ５２と接眼レンズ５４とがファインダハウジング５６内の所定位置に位置決めして配置される。
【００４３】
また、分割された上ハウジング５６Ａの内周部上面には、対物レンズ５２と接眼レンズ５４のフランジ部５２Ｂ、５４Ｂの上面に形成された突起部５２Ｄ、５４Ｄが嵌入される凹部６２、６４が形成されている。
【００４４】
更に、このファインダハウジング５６の内周部には絞り部６６が一体的に形成されている。この絞り部６６は、対物レンズ５２と接眼レンズ５４をファインダハウジング５６に取り付けた際、その間の位置に配置されるように形成されている。また、この絞り部６６の開口部６６Ａは、接眼レンズ５４のレンズ部５４Ａと同じ大きさをもって形成されている。
【００４５】
対物レンズ５２と接眼レンズ５４をファインダハウジング５６に取り付ける場合は、まず、そのフランジ部５２Ｂ、５４Ｂの両側面に形成された位置決め用凸部５２Ｃ、５４Ｃを下ハウジング５６Ｂに形成された位置決め用凹部５８Ｂ、６０Ｂに嵌め込む。これにより、対物レンズ５２と接眼レンズ５４とが、下ハウジング５６Ｂの所定の位置に位置決めして取り付けられる。
【００４６】
なお、この際、対物レンズ５２と接眼レンズ５４は、そのフランジ部５２Ｂ、５４Ｂの上面に形成された突起部５２Ｄ、５４Ｄが上側に位置するようにして下ハウジング５６Ｂに取り付ける。
【００４７】
そして、このように対物レンズ５２と接眼レンズ５４が取り付けられた下ハウジング５６Ｂに対して上ハウジング５６Ａを取り付ける。この際、上ハウジング５６Ａは、その内周部両側面に形成された位置決め用凹部５８Ａ、６０Ａに対物レンズ５２と接眼レンズ５４のフランジ部５２Ａ、５４Ａの外周に形成され位置決め用凸部５２Ｃ、５４Ｃを嵌め込みながら下ハウジング５６Ｂに取り付ける。
【００４８】
上ハウジング５６Ａが下ハウジング５６Ｂに取り付けられると、対物レンズ５２と接眼レンズ５４は、そのフランジ部５２Ｂ、５４Ｂの上面に形成された突起部５２Ｄ、５４Ｄが、上ハウジング５６Ａの内周部上面に形成された凹部６２、６４に嵌入される。
【００４９】
これにより、ファインダハウジング５６への対物レンズ５２と接眼レンズ５４の取り付けが完了する。ファインダハウジング５６に取り付けられた対物レンズ５２と接眼レンズ５４とは、それぞれファインダハウジング５６内で所定の間隔をもって同軸上に配置され、その間には、ファインダハウジング５６内に一体成形された絞り部６６が配置される。
【００５０】
さて、上記のように対物レンズ５２と接眼レンズ５４とが取り付けられたファインダハウジング５６は、カメラ本体１２の所定の位置に組み付けられる。
【００５１】
カメラ本体１２は、主としてフロントフレーム１２Ａとリアフレーム１２Ｂとで構成されており、明色系、たとえば明るいグレーのプラスチック材で成形されている。図８はフロントフレーム１２Ａの構成を示す斜視図であり、図９はリアフレーム１２Ｂの構成を示す斜視図である。
【００５２】
フロントフレーム１２Ａとリアフレーム１２Ｂは、フロントフレーム１２Ａの上辺部二箇所と下辺部三箇所に形成された係合爪６８をリアフレーム１２の上辺部二箇所と下辺部三箇所に形成された係合穴７０に嵌めこむ事により互いに重ね合わされて一体化される（いわゆるスナップイン構造）。
【００５３】
一体化されたフロントフレーム１２ＡとリアフレームＢには、両サイドに白色のプラスチック材で形成されたサイドフレーム１２Ｒ、１２Ｌが取り付けられ、これにより、カメラ本体１２が構成される。
【００５４】
フロントフレーム１２Ａには、ファインダ窓１６を構成する矩形の開口部７２が形成されており、この開口部７２には、対物レンズ５２のレンズ部５２Ａが嵌合される。
【００５５】
一方、リアフレーム１２Ｂには、ファインダ接眼部２２を構成する矩形の開口部７４が形成されており、この開口部７４には、接眼レンズ５４のレンズ部５４Ａが嵌合される。
【００５６】
なお、このフロントフレーム１２Ａとリアフレーム１２Ｂの表面には、図６に示すように、それぞれアルミ製の化粧板１２ａ、１２ｂが取り付けられ、表面が被覆される。
【００５７】
ファインダハウジング５６をカメラ本体１２に組み付ける場合は、まず、接眼レンズ５４のレンズ部５４Ａをリアフレーム１２Ｂに形成された開口部７４に嵌入する。これにより、ファインダハウジング５６がリアフレーム１２Ｂに対して位置決めされる。この状態でリアフレーム１２Ｂにフロントフレーム１２Ａを取り付ける。すなわち、リアフレーム１２Ｂに形成された係合穴７０にフロントフレーム１２Ａに形成された係合爪６８を嵌め込む。
【００５８】
リアフレーム１２Ｂにフロントフレーム１２Ａを取り付けて一体化すると、そのフロントフレーム１２Ａに形成された開口部７２に対物レンズ５２のレンズ部５２Ａが嵌合される。これにより、ファインダハウジング５６の組み付けが完了する。
【００５９】
カメラ本体１２に組み付けられたファインダハウジング５６は、その対物レンズ５２のフランジ部５２Ｂの端面と接眼レンズ５４のフランジ部５４Ｂの端面をフロントフレーム１２Ａとリアフレーム１２Ｂとに挟持されて、カメラ本体１２の所定位置に固定される。
【００６０】
前記のごとく構成された本実施の形態のファインダハウジング５６によれば、ファインダハウジング５６内に絞り部６６が一体的に形成されているため、対物レンズ５２から入射した光が、対物レンズ５２の外周面で乱反射した場合であっても、その乱反射した有害な光は絞り部６６でカットされる。これにより、撮影者は常にクリアなファインダ像を見ることができる。
【００６１】
なお、この絞り部６６の開口部６６Ａの大きさは、接眼レンズ５４のレンズ部５４Ａの大きさと同じ大きさにすることが好ましく、これにより、ファインダの視野を欠くことなく、有効に有害を除去することができる。
【００６２】
また、ファインダユニット５０をカメラ本体１２とは別体で構成し、そのファインダハウジング５６を黒等の暗色系のプラスチック材で形成することにより、周囲から不要な光がファインダ内に入射されるのを効果的に防止できる。また、これにより、カメラ本体１２に対して白等の明るい色のプラスチック材を使用することができ、カメラデザインの自由度が向上する。
【００６３】
なお、本実施の形態では、本発明に係るファインダハウジングをカード型のデジタルカメラに適用した場合を例に説明したが、本発明の適用は、これに限定されるものではなく、銀塩カメラにも同様に適用することができる。特にリサイクル利用される銀塩カメラに対しては有効である。
【００６４】
【発明の効果】
以上説明したように、本発明によれば、ファインダハウジング内に絞り部が一体的に形成されているため、入射光が対物レンズの外周面で乱反射した場合であっても、不要な光を絞り部でカットでき、明瞭なファインダ像を得ることができる。また、ファインダハウジングを黒色のプラスチックで成形することにより、周囲からファインダ内に光が入射するのを防止することができる。
【図面の簡単な説明】
【図１】本発明に係るファインダハウジングが組み込まれたデジタルカメラの正面斜視図
【図２】本発明に係るファインダハウジングが組み込まれたデジタルカメラの背面斜視図
【図３】モードダイヤルの構成を示す背面図
【図４】モードダイヤルの構成を示す斜視図
【図５】ファインダハウジングの構成を示す斜視図
【図６】ファインダハウジングの構成を示す側面断面図
【図７】ファインダハウジングの組立図
【図８】フロントフレームの構成を示す斜視図
【図９】リアフレームの構成を示す斜視図
【符号の説明】
１０…デジタルカメラ、１２…カメラ本体、１４…撮影レンズ、１６…ファインダ窓、２２…ファインダ接眼部、３０…モードダイヤル、４４…レリーズボタン、５０…ファインダユニット、５２…対物レンズ、５２Ａ…レンズ部、５２Ｂ…フランジ部、５２Ｃ…位置決め用凸部、５２Ｄ…凸部、５４…接眼レンズ、５４Ａ…レンズ部、５４Ｂ…フランジ部、５４Ｃ…位置決め用凸部、５４Ｄ…凸部、５４…接眼レンズ、５６…ファインダハウジング、５６Ａ…上ハウジング、５６Ｂ…下ハウジング、５８Ａ、５８Ｂ、６０Ａ、６０Ｂ…位置決め用凹部、６２…凹部、６４…凹部、６６…絞り部、６６Ａ…開口部
【図１】
2004325624.tif 000003
【図２】
2004325624.tif 000004
【図３】
2004325624.tif 000005
【図４】
2004325624.tif 000006
【図５】
2004325624.tif 000007
【図６】
2004325624.tif 000008
【図７】
2004325624.tif 000009
【図８】
2004325624.tif 000010
【図９】
2004325624.tif 000011